(57)【要約】【課題】光の後方散乱を少なく抑えながら光拡散性を確保することができ、かつ薄膜化を図ることができる光拡散体【解決手段】  透明基材（１２）上に形成された凹凸を有し、この凹凸が形成された面に屈折率が凹凸側から外に向かって順次変化した少なくとも３層以上の透明バインダー層（１４、１６、１８、２０）が積層されていることを特徴とする光拡散体。【選択図】          図１
2005292398.tif 000002
【特許請求の範囲】
【請求項１】
透明基材の表面に形成された凹凸を有し、この四凸の面上に屈折率が前記凹凸面から外に向かって順次変化した少なくとも３層以上の透明バインダー層が積層されていることを特徴とする光拡散体。
【請求項２】
透明基材の表面に形成された凹凸の面に接する透明バインダー層の屈折率と前記透明基材の屈折率との差が０．１０以下であることを特徴とする請求項１に記載の光拡散体。
【請求項３】
隣接する透明バインダー層の屈折率差が０．１０以下であることを特徴とする請求項１または請求項２に記載の光拡散体。
【請求項４】
透明基材の表面に形成された凹凸の面に接する透明バインダー層から３層目の透明バインダー層の厚みの合計がＪＩＳ  Ｂ０６０１で定義された凹凸の十点平均粗さ（Ｒｚ）よりも少ないことを特徴とする請求項１乃至請求項３のいずれか１項に記載の光拡散体。
【請求項５】
凹凸の凸部間の平均間隔（ＪＩＳ  Ｂ０６０１で定義された平均間隔Ｓ値）が、  ＪＩＳ  Ｂ０６０１で定義された凹凸の十点平均粗さ（Ｒｚ）の１／３倍〜５倍であることを特徴とする請求項１乃至請求項４のいずれか１項に記載の光拡散体。
【請求項６】
透明基材の表面に形成された凹凸が、エンボス法、フォトリソグラフィー法、サンドブラスト法、またはホログラフィー法のいずれかの方法で形成されていることを特徴とする請求項１乃至請求項５のいずれか１項に記載の光拡散体。
【請求項７】
請求項１乃至請求項６のいずれかに記載の光拡散体が、３層以上の透明バインダー層のうちの少なくとも２層以上が同時重層塗布されることを特徴とする光拡散体の製造方法。
【請求項８】
請求項１乃至請求項６のいずれか１項に記載の光拡散体が支持体上に設けられていることを特徴とする光拡散材料。
【請求項９】
請求項１乃至請求項６のいずれか１項に記載の光拡散体を用いたことを特徴とする画像表示素子。
【請求項１０】
請求項１乃至請求項６のいずれか１項に記載の光拡散体を用いた液晶表示素子であることを特徴とする請求項９に記載の画像表示素子。
【請求項１１】
上記光拡散体を液晶セルの内面に用いた請求項１０に記載の画像表示素子。
【発明の詳細な説明】
【技術分野】
【０００１】
本発明は光拡散体、その製造方法、光拡散材料及び画像表示素子に関し、詳しくは、光散乱なく、透過光を前方拡散させる光拡散体、該光拡散体を簡便に製造することができる光拡散体の製造方法、特に反射型ＬＣＤにおいて効果的に光をロスせず、視野角も広げる光拡散フィルム、偏光膜の内側に入れても消偏性（偏光解消）のない光拡散フイルム等の光拡散材料、液晶セルの内面に入れても消偏性なく光拡散効果が高く、かつ液晶の配向乱れを生じさせない薄膜光拡散体を用いた液晶表示素子等に好適な画像表示素子に関する。
【背景技術】
【０００２】
光拡散材料は調光材料、光学素子、表示素子などの各種分野で利用されている。また近年では液晶ディスプレイ等の表示材料の表示品位の向上、視野角特性の改良等への利用が進んでいる。光拡散材料の構成としては、例えばすりガラスの様に表面に微細な凹凸を形成する方法、あるいは樹脂膜中に数μｍから致十μ血の粒子を分散させる方法などが一般的に用いられてきた。しかしながら、これらの方法では確かに光の散乱は可能であるが、光の後方への散乱も大きくなるので透過光量が低くなってしまったり、表示画面のコントラストを落としてしまう。また、前記の従来の光拡散材料は、偏光解消も起きてしまう為に近年要望が強い液晶デイスプレイ等への利用は困難であり、また、表示材料用にも透過光量が少ないために光源への負荷が大きくなってしまう。そこで後方散乱が少なく、かつ高い光拡散性を有し、偏光解消の起こらない光拡散材料が求められている。
【０００３】
このような問題を解決するための手段として、例えば、凹凸形状をレンズ状に設計し光の屈折を利用する方法が知られている。しかしながら、この方法では微細な凹凸形状の形成が煩雑で生産性に劣る、また拡散材料が汚染や衝撃に弱い、凹凸を有するために液晶ディスプレイのセル内に用いようとすると、配向乱れを起こし、表示品位を著しく落としてしまうために使えないなどの問題を有している。
【０００４】
また、光拡散材料に微粒子を用いる方法も知られている。特に粒子による光の散乱ではなく屈折を利用する目的で粒子は内部の分布が均一ではなく、粒子中の屈折率を内部と表面部の間で変化させた微粒子を用いた光拡散材料が知られている。これらの方法では光の後方散乱を有る程度は少なく抑えながら光拡散性を確保している。
【０００５】
たとえば、単分散微粒子をバインダー中に分散したものを反射型液晶セル内のカラーフィルターの上に設け、光拡散性の確保と偏光解消防止の両立を狙ったものが提案されている。（非特許文献１）
【０００６】
しかしながら、粒子の中で屈折率の勾配を安定して作ることは製造技術上難しかったり、重合性と粒子形成性の両立の観点から選べるモノマーの範囲が狭く、屈折率の大きな勾配を作ることが出来ないなどの欠点があり、より簡便に製造でき、かつ光拡散性が高く偏光解消のない光拡散体が望まれていた。
【０００７】
【非特許文献１】ＩＤＷ‘００予稿集“Ｃｏｌｏｒ  Ｆｉｌｔｅｒ  ｗｉｔｈ  Ｌｉｇｈｔ  Ｓｃａｔｔｅｒｉｎｇ    Ｌａｙｅｒ  ｆｏｒ  Ｒｅｆｌｅｃｔｉｏｎ  ＬＣＤｓ”のｐ４５１−ｐ４５４
【発明の開示】
【発明が解決しようとする課題】
【０００８】
本発明の第１の目的は光の後方散乱を少なく抑えながら光拡散性を確保することができ、かつ薄膜化を図ることができる光拡散体とその製造方法及び光拡散材料を提供することにある。
本発明の第２の目的は、光をロスすることなく、視野角を広げることができ、偏光解消がなくコントラストの高い液晶表示素子等の画像表示素子を提供することにある。
【課題を解決するための手段】
【０００９】
上記した課題は、下記の発明によって達成される。
（１）  透明基材の表面に形成された凹凸を有し、この凹凸の面上に屈折率が前記凹凸面から外に向かって順次変化した少なくとも３層以上の透明バインダー層が積層されていることを特徴とする光拡散体。
（２）  透明基材の表面に形成された凹凸の面に接する透明バインダー層の屈折率と前記透明基材の屈折率との差が０．１０以下であることを特徴とする（１）に記載の光拡散体。
（３）  隣接する透明バインダー層の屈折率差が０．１０以下であることを特徴とする（１）または（２）に記載の光拡散体。
（４）  透明基材の表面に形成された凹凸の面に接する透明バインダー層から３層目の透明バインダー層の厚みの合計がＪＩＳ  Ｂ０６０１で定義された凹凸の十点平均粗さ（Ｒｚ）よりも少ないことを特徴とする（１）乃至（３）のいずれかに記載の光拡散体。
（５）  凹凸の凸部間の平均間隔（ＪＩＳ  Ｂ０６０１で定義された平均間隔Ｓ値）が、ＪＩＳ  Ｂ０６０１で定義された凹凸の十点平均粗さ（Ｒｚ）の１／３倍〜５倍であることを特徴とする（１）乃至（４）のいずれかに記載の光拡散体。（６）  透明基材の表面に形成された凹凸が、エンボス法、フォトリソグラフィー法、サンドブラスト法、またはホログラフィー法のいずれかの方法で形成されていることを特徴とする（１）乃至（５）のいずれかに記載の光拡散体。
（７）  （１）乃至（６）のいずれかに記載の光拡散体が、  ３層以上の透明バインダー層のうちの少なくとも２層以上が同時重層塗布されることを特徴とする光拡散体の製造方法。
（８）  （１）乃至（６）のいずれかに記載の光拡散体が支持体上に設けられていることを特徴とする光拡散材料。
（９）  （１）乃至（６）のいずれかに記載の光拡散体を用いたことを特徴とする画像表示素子。
（１０）  （１）乃至（６）のいずれかに記載の光拡散体を用いた液晶表示素子であることを特徴とする（９）に記載の画像表示素子。
（１１）  上記光拡散体を液晶セルの内面に用いた（１０）に記載の画像表示素子。
【発明の効果】
【００１０】
本発明の光拡散体によれば、光の後方散乱を少なく抑えながら光拡散性を確保することが出来、かつ薄膜化を図ることができる。
また、本発明の光拡散体の製造方法及び光拡散材料によれば、光拡散体を簡便に製造することができる。
さらに、本発明の画像表示素子によれば、光をロスすることなく、視野角を広げることが出来、偏光解消がなくコントラストの高い液晶表示層等の画像表示素子を提供することができる。
【発明を実施するための最良の形態】
【００１１】
以下、本発明の好ましい実施の形態について説明する。
【００１２】
−表面凹凸−
本発明において、表面に凹凸を形成させる基材の材質は、透明体であれば、何でもよい。本拡散体を偏光膜の内側に配置する場合には、この透明体は、光学異方性や消偏性のないものが好ましい。また、表面に凹凸を形成させる基材の材質は、透明基材そのものでもよいし、透明な支持体の上に積層された透明な層であってもよく、仮支持体上に積層され、後に剥離されるような透明な層であってもよい。
【００１３】
透明な基材上に凹凸を形成させる方法としては、基材の材質等に応じてエンボス法、フォトリソグラフィー法、サンドブラスト法、ホログラフィー法等を任意に採用することができる。凹凸の形状には、特に制約はないが、凹凸面に積層された透明バインダー層の積層のし易さの点から、凹凸の凹部の形状は、所謂、内に広がった蛸壷状の形状によりも外方向に向かって開放的な広がりを持つような形状が好ましい。
【００１４】
凹凸の平均粗さは、ＪＩＳ  Ｂ０６０１で定義された十点平均粗さＲｚ値で０．５μｍ〜２０μｍが好ましく、より好ましくは１．０μｍ〜１０μｍ、さらに好ましくは１．０μｍ〜５．０μｍである。凹凸の凸部間の平均間隔は、ＪＩＳＢ０６０１で定義された平均間隔Ｓ値でＪＩＳ  Ｂ０６０１で定義された十点平均粗さＲｚ値の１／３倍〜５倍が好ましく、より好ましくは１／２倍〜２倍である。
【００１５】
−透明バインダー層−
バインダーとしては透明ならば何を用いてもかまわない。水溶性高分子、有機溶剤溶解性高分子、水性ラテックス、水性アイオノマー等の中から任意に選択すればよい。また、重合性モノマーやオリゴマーあるいはそれらの混合物を塗布した後、光や熱や電子線などで重合して透明バインダー層を形成しても良い。更に、真空蒸着、スパッタリング、ＣＶＤなどにより透明バインダー層を形成しても良い。
【００１６】
この場合には透明バインダー層は、有機物のみならず無機の薄膜材料でも形成することができる。これらのうち、透明バインダー層として高分子バインダーを用いる場合、高分子バインダーとなるものの例としては、Ｐｏｌｙｍｅｒ  Ｈａｎｄｂｏｏｋ  ＶＩ／４５３−ＶＩ／４６１に列挙されているものを好適に用いることができる。ここにはそれぞれのポリマーの屈折率も詳しく記載されているので、それらの値から好ましいポリマーを適宜選択すればよい。
【００１７】
更に高分子バインダーには、前記高分子ポリマーを構成するモノマーと他のモノマーとの共重合体、前記高分子ポリマー中、種類の異なるポリマーの混合物であってもよい。さらに透明バインダー層の屈折率はそのバインダー中に光の波長以下の粒径の超微粒子を混合することによって調節してもかまわない。最近はナノ粒子と称して数十ナノメーターの粒径の超微粒子が多種開発されており、これらを好適に用いることができる。これらの粒子としては、例えば、Ｓｉ，Ｔｉ，Ｂａ，Ｃａ，Ｎａ，Ｋ，Ａｌ，Ｍｇ，Ｚｎ，Ｚｒ，Ｙ，Ｎｂ，Ｆｅ，Ｃｅ，Ｃｏ，Ｅｒ，Ｉｎ，Ｎｄ，Ｎｉ，Ｐｂ，Ｓｂ，Ｙｂ，Ｓｎ等から選ばれる無機酸化物、あるいはこれら元素の混合酸化物が好ましく用いられるがそれらに限定されるものではない。
【００１８】
この場合、屈折率の調節の方法としては、超微粒子の種類を選択したりバインダーに対する超微粒子の添加量の調節で行うことができる。
【００１９】
本発明において、屈折率が透明基材に形成された凹凸面から外方向に向かって順次変化するとは、透明基材に形成された凹凸面に接する透明バインダー層の届折率から外側の透明バインダー層の屈折率が順次大きくなる場合、あるいは順次小さくなる場合を意味している。
【００２０】
更に各透明バインダー層のバインダーの全部あるいは一部に架橋剤やネットワーク形成剤を添加しても良い。バインダーによってはこれにより、耐熱性、耐傷性、ガス透過性、耐水性、耐溶剤性の向上などを向上させることができる。
【００２１】
−透明バインダー層の積層方法−
透明基材に形成された凹凸の表面に第１層透明バインダー以降の設け方については種々の方法を採用することができる。例えば、前の層の透明バインダー層を塗布乾燥して形成させた後、次の層の透明バインダー層を順次塗布、乾燥しながら積層していく方法がある。この場合には次の透明バインダー層の塗布時の濡れ性を良化させるために前の透明バインダー層にコロナ放電処理、プラズマ放電処理などの表面処理をしておくことも可能である。また、透明バインダー層用塗布液には濡れ性を良化させる界面活性剤、静電気を防止するための帯電防止剤などを添加しても良い。
【００２２】
このように逐次に積み重ね塗布していく際には、先の透明バインダー層の次に塗布する透明バインダー層を塗布するときに先の透明バインダー層を過度に溶解して面状を損ねないように透明バインダー層塗布液に含有される溶剤を選択したり、先の透明バインダー層を熱処理などで硬化した後、次の透明バインダー層を塗布することも有効な方法である。
【００２３】
更に、先の透明バインダー層が水性バインダーの場合には次の透明バインダー層には水に不溶の有機溶剤溶解性ポリマーを使うなどの選択も可能である。また、その逆の方法もある。これらの透明バインダー層用塗布液の塗布には通常使われているいずれの塗布方法を用いても良い。たとえば、バーコーター、スピンコーター、スリットコーター、エクストルージョンコーター、グラビアコーター、ブレードコーターなどが挙げられる。
【００２４】
また、透明バインダー層の別の積層法として２層以上の透明バインダー層を同時に重層して塗布して形成することも可能であり、このためには公知の多層エクストルージョンコーターを好適に用いることができる。この場合には層流状態での塗液を塗りつけた直後に低温ゾーンなどで塗布液を一旦ゲル化させて層構造を固定し、その後、乾燥することにより、確実に多層構造を形成させることができる。この方法はカラー写真フイルムの製造などで広く行われている方法を応用することができる。
【００２５】
一方、透明バインダー層用塗布液を重層で塗りつけた後、意識的に乾燥を遅らせてある程度層間の混合をさせた後、乾燥するという方法も好ましい。この場合には層間の界面が曖昧となり、結果として屈折率の異なる層の界面がなくなり、連続的な屈折率傾斜体が得られ、表示素子として使うときに界面反射による偏光解消がなくなり、きわめてコントラストの高い表示を得ることができる。
【００２６】
本発現の効果の特徴である高い光拡散性と小さな消偏性は、この透明バインダー層の多層層構造の屈折率が順次変化する形態と各透明バインダー層のゆがみ、更に凸部から凹部にかけての透明バインダー層の連続的な厚み変化の複合によってかもし出されているものと思われる。
【００２７】
次に本発明の好ましい実施の形態を図面に基づいて説明する。
図１は本発明の光拡散体の一実施の形態を模式的に示した断面図である。１０は支持体又は仮支持体、１２は表面に凹凸が形成された透現基材、１４、１６、１８、２０はそれぞれ第１〜第４の透明バインダー層を示す。本図から解るように多層の透明バインダー層はそれぞれ凹凸の曲面の影響を受けてバインダー層自身が屈曲した面として固定化されている。このような透明バインダー層の屈曲した曲面によって、光拡散体に入射した光は屈曲した曲面で拡散するため、光拡散体は前方拡散体（光の進む方向のみに拡散）として作用するものと思われる。
【００２８】
さらに、本発明では各透明バインダー層の屈折率は透明基材１２の凹凸面から順次変化し、しかも隣接する透明バインダー層の屈折率差を０．１０以内、好ましくは０．０５以内に抑えていると、後方散乱もほとんどなく効率的に光を透過させることができる。また、この光拡散体は、界面散乱が少ないので、消偏がほとんど起こらず、偏光を利用する表示素子において偏光膜の内側に配置しても偏光保持が可能であり、きわめてコントラストの高い表示素子を得ることができる。透明バインダー層の数は３層以上あれば本発明の効果が得られるが、透明バインダー層は多層に分割されるほどその効果は高い。
【００２９】
また、第１層から第３層までの厚みのトータル（すなわち、凹凸間の中心部の層厚みを意味し、図１中、Ｔ1で示す）がＪＩＳ  Ｂ０６０１で定義された凹凸の十点平均粗さ（Ｒｚ）を越えないことが好ましい。この場合、各透明バインダー層の曲面が光を屈曲させるのに効果的な曲率を持つからであろう。また、凹凸の凸部と凸部の平均的な間隙（ＪＩＳ  Ｂ０６０１で定義された平均間隔Ｓ値）は、製造適性と拡散効果の点から凸部の平均高さの１／３〜５倍までが好ましく、より好ましくは１／３〜２倍、更に好ましくは１／２〜１倍以内である。
【００３０】
図２は本発明の光拡散体の別の態様を示したものである。ここでは図１の構成物の最上層に第５層として平坦化層２２Ａまたは接着層２２Ｂを設けている。平坦化層２２Ａは本光拡散体を実際に用いる場合に時として重要である。例えば本発明の光拡散体を液晶セルの内面に用いた場合、その上に配置される液晶層の厚みを均一にするのに有効である。
【００３１】
また、本光拡散体を通して図で言えば下方からの光を図の上方から視認したい場合、上方からの外光が拡散体の最上部（例えば、第４透明バインダー層２０）の凹凸により後方散乱してコントラストを落としてしまうような場合、平坦化層２２Ａによって後方散乱によるコントラストの低下を防止することができる。勿論、凹凸の形状がある程度大きい場合にはむしろ平坦化層２２Ａがない方が最上層の透明バインダー層の表面の凹凸がいわゆるアンチグレア効果を出して好ましい場合もあるので、用途に応じて使い分ければよい。
【００３２】
図２において、第５層が接着層２２Ｂや粘着層である場合には、この光拡散体を別の基材に張り合わせて使うことができる。ここでいう別の基材とは例えば、液晶セルのガラス板、偏光板、１／４λ板、位相差板、視野角拡大板、液晶表示装置のバックライト導光板、プリズム板などが挙げられる。また別の基材に張り合わせた後、支持体を剥離するいわゆる転写ラミネートにより、光拡散体のみを別の基材上に転写することも可能である。このために支持体上にはあらかじめ剥離層や基材とのなじみを良くするためのクッション層、あるいは剥離後の表面硬化用の硬化層が塗布されていても良い。
【００３３】
これらの技術はすでにプリント基板用のドライラミネートフィルムや転写型カラーフィルターにおいて広く使われており、それらを応用することにより容易に実現できる。このように凹凸のある平面上に平坦化層２２Ａを設ける場合には平坦化層２２Ａは塗布後のレベリレグ（表面張力による流動で塗布液面が平坦になること）によって平坦化した後、溶媒を蒸発させることなく固化する方法が好ましい。このような目的のためには平坦化層は無溶媒の紫外線硬化樹脂あるいは電子線硬化樹脂が好ましい。
【実施例】
【００３４】
以下、本発明の実施例について説明するが、本発明はこれらの実施例に限定されるものではない
【００３５】
（実施例１）
屈折率１．７０のガラス板（Ｂａ、Ｔｉ、Ｓｉを主成分とする酸化物）をサンドブラスト法でその表面を粗化した。ガラス板表面のＪＩＳ  Ｂ０６０１で定義された凹凸の十点平均粗さ（Ｒｚ）は３．７μｍ、ＪＩＳ  Ｂ０６０１で定義された平均間隔Ｓ値は６．２μｍであった。
次に平均粒径３０ｎｍのＴｉＯ2超微粒子とアクリル樹脂（ＢＲ−８７：三菱レイヨン社製）とＭＥＫの量比を変えて混合し、以下のＡ−Ｄの４種の塗液を調整した。
Ａ：乾燥後の被膜の屈折率が１．６５
Ｂ：乾燥後の被膜の屈折率が１．５７
Ｃｉ乾燥後の被膜の屈折率が１．５３
Ｄ：乾燥後の被膜の屈折率が１．４９
次いでこの塗布層の上に順次Ａ液、Ｂ液、Ｃ液をそれぞれ、乾燥膜厚が１．０μｍとなるように塗布し、それぞれ、１２０℃で乾燥した。最後にその塗布層上にＤ液を乾燥膜厚が５μｍとなるように１２０℃で乾燥して光拡散体を得た。
【００３６】
（実施例２）
ガラス板をセルローストリアセテートフィルムに変え、エンボス法によってフィルムの表面に凹凸を形成した。この凹凸面のＪＩＳ  Ｂ０６０１で定義された凹凸の十点平均粗さ（Ｒｚ）は４．９μｍ、ＪＩＳ  Ｂ０６０１で定義された平均間隔Ｓ値は７．３μｍであった。
以下、実施例１と全く同様にしてＡ液、Ｂ液、Ｃ液、Ｄ液を塗布乾燥した。最後にこの塗布層上に、コロナ放電処理を行なった後、市販のアクリル系粘着剤を厚さ２０μｍとなるように塗布乾燥した。このフィルムの粘着面をガラスに貼り合わせた材料（ポリエチレンテレフタレートフィルム）を剥離し、ガラス板上に形成された光拡散体を得た。
【００３７】
（実施例３）
実施例１と全く同様にしてサンドブラスト法によって表面に凹凸を有するガラス板に対し、同時重層用エクストルージョンコーターにてＡ液、Ｂ液、Ｃ液、Ｄ液をそれぞれ乾燥膜厚が１．２μｍ、１，２μｍ、１．２μｍ、５μｍとなるような流量で同時に重層塗布した後、７０℃の予備乾燥を１分間行ない、次いで１２０℃で１０分間乾燥して光拡散体を得た。
【００３８】
得られた光拡散体の後方散乱性、光拡散性、消偏性を下記の方法で評価した。各５段階の点数で目視評価し、数字が大きいほど各特性が良好であることを示す。後方拡散性と消偏性は表示装置の黒色表示状態の黒色度を予測するための項目であり、コントラストに大きく寄与する重要な項目である。それに対して、光拡散性は、白色度と視野角の広さに寄与する項目で、評点３以上であれば実用に供する事が可能と考えられる。
【００３９】
＜後方散乱性＞
光拡散体の支持体面側を粘着剤で黒の鏡面板に貼り付け、上方より目視確認。黒いほど良好。試検に用いた黒色鏡面板の黒色を評点５とし、試料間で相対比較して評点を決定した。
【００４０】
＜消偏性＞
光拡散性の支持体面側を粘着剤でアルミ蒸着フィルムに貼り付け、その上に鏡面反射光を完全にカットする向きに１／４波長板と直線偏光板を組み合わせてこの順に始り付け、上方より目視確認。反射光の偏光解消が起こらず、黒く見えるほど良好。このように組立てた試検体から光拡散体を除いた状態での黒色を評点５とし、試料間の成績を比較して評点を決定した。
【００４１】
＜光拡散体＞
光拡散性の支持体面側を粘着剤でアルミ蒸着フィルムに張り付け、上方により目視確認。アルミの金属光沢が消え、白色に見えるるほど良好。上質紙の白色度を評点５とし、試料間で相対比較して評点を決定した。
【００４２】
評価結果を表１に示す。表中の比較例は、実施例１に記載した表面粗化したガラス板にＡ〜Ｄの塗液を塗布しない試料を用いて、試検した結果を記載した。
【００４３】
【表１】
2005292398.tif 000003
【００４４】
上記の結果より、本発明の光拡散体は良好な前方拡散性を示し、かつ、消偏性をほとんど示さないことがわかる。
【００４５】
（実施例４）
実施例２の光拡散体が転写されたガラス板を液晶セルの片側に基板として用いて図３に示すような反射型液晶表示装置に組み込んだ。図３において、３０はガラス基板、３２はＡｌ反射電極、３４は配向膜、３６は液晶、３８は配向膜、４０はＩＴＯ電極、４２はカラーフィルター、４４はガラス基板、４６は光拡散体、４８はλ／４板、５０は偏光板であり、図中、矢印は、光の進行方向を示している。
その結果、良好なコントラストと視野角の広い、見やすい表示素子となった。
【００４６】
（実施例５）
実施例２の光拡散体が転写されたガラス板を液晶セルの片側に基板として用いて図４に示すような反射型液晶表示装置に組み込んだ。図４において、図３の装置と異なる点は、光拡散体４６がカラーフィルター４２とガラス基板４４との間に設けられている点であり、他の構成は実質的に同じであるので、同一符号は図３と同じであり、図中、矢印は光の進行方向を示している。
その結果、良好なコントラストと視野角の広い、かつ、解像度と色純度に優れた表示装置を得ることができた。
【図面の簡単な説明】
【００４７】
【図１】本発明の光拡散体の好ましい一実施の形態を示す要部断面図である。
【図２】本発明の光拡散体の好ましい他の実施の形態を示す要部断面図である。
【図３】本発明の液晶表示装置の好ましい一実施の形態を示す要部断面図である。
【図４】本発明の液晶表示装置の好ましい他の実施の形態を示す要部断面図である。
【符号の説明】
【００４８】
１０        支持体
１２        透明基材
１４        第１透明バインダー層
１６        第２透明バインダー層
１８        第３透明バインダー層
２０        第４透明バインダー層
２２Ａ      平坦化層
２２Ｂ      接着層
３０        ガラス基板
３２        Ａｌ反射電極、
３４        配向膜
３６        液晶
３８        配向膜
４０        ＩＴＯ電極
４２        カラーフィルター
４４        ガラス基板
４６        光拡散体
４８        λ／４板
５０        偏光板
【図１】
2005292398.tif 000004
【図２】
2005292398.tif 000005
【図３】
2005292398.tif 000006
【図４】
2005292398.tif 000007